【事件の表示】
　平成　６年特許願第１０６６３９号「画像記録再生装置、画像再生装置、及びその方法」拒絶査定不服審判事件〔平成　７年１２月　８日出願公開、特開平　７−３２２１８３、請求項の数（９）〕について、次のとおり審決する。
【結　論】
　原査定を取り消す。
　本願の発明は、特許すべきものとする。
【理　由】
１．経緯  
（１）手続  
　本願は、平成６年５月２０日の出願であって、平成１７年３月１８日付けで拒絶査定がなされ、これに対して、同年４月２８日に拒絶査定に対する審判請求がなされるとともに、同年５月３０日付けで手続補正がなされたものである。
　
（２）査定  
　原査定の理由は、概略、下記のとおりである。  
　　　　　記（査定の理由）  
　本願の請求項１から９までに係る発明は、下記刊行物に記載された発明に基づいて当業者が容易に発明をすることができたものであるから、特許法第２９条第２項の規定により、特許を受けることができない。  
　　　　　記  
　刊行物１：特開平３−２２０６７１号公報
　刊行物２：特開平５−１８１９１４号公報
　刊行物３：特開平５−２３３７７８号公報
　刊行物４：特開平５−６４１３４号公報
　刊行物５：特開平４−３８５６１号公報
　刊行物６：特開平５−３０４６５３号公報（周知文献）
　
２．審判請求時の補正の適合性 
　平成１７年５月３０日付けの手続補正（本件補正）は、平成６年改正前特許法第１７条の２第２項及び第３項、並びに特許法第１７条の２第５項（同項で準用する第１２６条第５項）の各規定に適合する。詳細は、以下のとおりである。  
 　 
（１）補正の内容  
　本件補正は、次のような請求項の補正を含むものである。  
　（ａ）補正事項１
　請求項１，３，６ないし９の各々について、
　「表示を付加する」（補正前）とあるのを、
　「表示を付加する
とともに、前記検索画像が前記記録画像の一部を抽出して作られた画像である場合には、前記記録画像全体を縮小したものである場合とは異なる表示形態で表示する
　（ｂ）補正事項２
　請求項２について、
　「表示を付加し」（補正前）とあるのを、
　「表示を付加する
とともに、前記検索画像が前記記録画像の一部を抽出して作られた画像である場合には、前記記録画像全体を縮小したものである場合とは異なる表示形態で表示
　
（２）補正の適否 
（２−１）補正の範囲（第１７条の２第２項） 
　上記各補正事項は、願書に最初に添付した明細書の段落【００４４】の記載に基づくものであり、本件補正は、願書に最初に添付した明細書及び図面に記載した事項の範囲内においてする補正である。  
 　 
（２−２）補正の目的（第１７条の２第３項） 
　上記各補正事項は、特許請求の範囲についてする補正である。  
　上記各補正事項は、いずれも「表示」の内容を限定するものであり、しかも補正の前後において、産業上の利用分野及び解決しようとする課題は同一であるから、特許請求の範囲の減縮に該当する。
 　 
（２−３）独立特許要件（第１７条の２第５項） 
　上記各補正事項は、いずれも特許請求の範囲の減縮を目的とする補正であるので、以下、その独立特許要件について検討する。  
　
　（ａ）補正後発明  
　補正後の請求項１から請求項９までに係る発明（以下「補正後各発明」という。）は、下記のとおりのものである。  
　　　　　　記（補正後各発明）  
　【請求項１】　記録画像の１画像中から索引画像となすべき画像領域を指定するための指定手段と、
　上記指定手段により指定された画像領域の画面上での位置を示す座標情報を、対応する記録画像のファイル上に記憶する記憶手段と、
　上記記憶手段に記憶された座標情報に対応した画像領域の画像を上記記録画像から抽出して索引画像として表示する表示手段とを有し、
　上記表示手段は、１画像中に複数の画像領域が上記指定手段により索引画像となすべき画像領域として指定されている場合、上記複数の索引画像を表示する際に上記複数の索引画像が１つの記録画像に対応するものであることを示す表示を付加する
とともに、前記検索画像が前記記録画像の一部を抽出して作られた画像である場合には、前記記録画像全体を縮小したものである場合とは異なる表示形態で表示する
　【請求項２】　記録画像を記憶していると共に、上記記録画像の１画像中から索引画像として指定された画像領域の画面上での位置を示す座標情報を上記記録画像のファイル上に記憶した記憶手段から上記記録画像を再生する画像再生装置であって、
　上記記憶手段に記憶された上記座標情報に対応した画像領域の画像を上記記録画像から抽出して索引画像として表示する表示手段と、
　上記表示手段により表示された索引画像を選択する選択手段とを有し、
　上記表示手段は、１画像中に複数の画像領域が上記指定手段により索引画像となすべき画像領域として指定されている場合、上記複数の索引画像を表示する際に上記複数の索引画像が１つの記録画像に対応するものであることを示す表示を付加する
とともに、前記検索画像が前記記録画像の一部を抽出して作られた画像である場合には、前記記録画像全体を縮小したものである場合とは異なる表示形態で表示
　【請求項３】　上記表示手段は、上記記録画像を表示する際に、上記記録画像中に上記索引画像として指定された画像領域を強調表示することを特徴とする請求項２に記載の画像再生装置。
　【請求項４】　上記表示手段は、上記索引画像を表示する際に、上記索引画像をほぼ同一の大きさに変倍して１画面上に複数同時表示することを特徴とする請求項２に記載の画像再生装置。
　【請求項５】　上記表示手段は、上記索引画像を表示する際に、上記索引画像の外形輪郭を上記指定手段により指定された外形輪郭の形状に合わせて表示することを特徴とする請求項２に記載の画像再生装置。
　【請求項６】　記録画像の１画像中から索引画像となすべき画像領域を指定するための指定手段と、
　上記指定手段により指定された画像領域の縮小画像を、対応する記録画像のファイル上に記憶する記憶手段と、
　上記記憶手段に記憶された縮小画像を索引画像として表示する表示手段とを有し、
　上記表示手段は、１画像中に複数の画像領域が上記指定手段により索引画像となすべき画像領域として指定されている場合、上記複数の索引画像を表示する際に上記複数の索引画像が１つの記録画像に対応するものであることを示す表示を付加する
とともに、前記検索画像が前記記録画像の一部を抽出して作られた画像である場合には、前記記録画像全体を縮小したものである場合とは異なる表示形態で表示する
　【請求項７】　記録画像の１画像中から索引画像となすべき画像領域を指定するための指定工程と、
　上記指定工程で指定された画像領域の画面上での位置を示す座標情報を、対応する記録画像のファイル上に記憶する記憶工程と、
　上記記憶工程で記憶された座標情報に対応した画像領域の画像を上記記録画像から抽出して索引画像として表示する表示工程とを有し、
　上記表示工程では、１画像中に複数の画像領域が上記指定工程で索引画像となすべき画像領域として指定されている場合、上記複数の索引画像を表示する際に上記複数の索引画像が１つの記録画像に対応するものであることを示す表示を付加する
とともに、前記検索画像が前記記録画像の一部を抽出して作られた画像である場合には、前記記録画像全体を縮小したものである場合とは異なる表示形態で表示する
　【請求項８】　記録画像を記憶していると共に、上記記録画像の１画像中から索引画像として指定された画像領域の画面上での位置を示す座標情報を上記記録画像のファイル上に記憶した記憶手段から上記記録画像を再生する画像再生方法であって、
　上記記憶手段に記憶された上記座標情報に対応した画像領域の画像を上記記録画像から抽出して索引画像として表示手段に表示させる第１の表示工程と、
　上記表示手段により表示された索引画像を選択する選択工程と、
　上記選択工程で選択された索引画像に対応する記録画像を上記表示手段に表示させる第２の表示工程とを有し、
　上記第１の表示工程では、１画像中に複数の画像領域が上記指定手段により索引画像となすべき画像領域として指定されている場合、上記複数の索引画像を表示する際に上記複数の索引画像が１つの記録画像に対応するものであることを示す表示を付加する
とともに、前記検索画像が前記記録画像の一部を抽出して作られた画像である場合には、前記記録画像全体を縮小したものである場合とは異なる表示形態で表示する
　【請求項９】　記録画像の１画像中から索引画像となすべき画像領域を指定するための指定工程と、
　上記指定工程で指定された画像領域の縮小画像を、対応する記録画像のファイル上に記憶する記憶工程と、
　上記記憶手段に記憶された縮小画像を索引画像として表示する表示工程とを有し、
　上記表示工程では、１画像中に複数の画像領域が上記指定手段により索引画像となすべき画像領域として指定されている場合、上記複数の索引画像を表示する際に上記複数の索引画像が１つの記録画像に対応するものであることを示す表示を付加する
とともに、前記検索画像が前記記録画像の一部を抽出して作られた画像である場合には、前記記録画像全体を縮小したものである場合とは異なる表示形態で表示する
　
　（ｂ）補正後各発明が備える主要構成
　（ｂ１）査定で引用された各刊行物のいずれにも、補正後各発明が備える下記の主要構成は記載されていない。また、各刊行物を組み合わせても、同主要構成を導くことはできない。               
　　　　　　記（補正後各発明が備える主要構成）         
　複数の索引画像を表示する際に上記複数の索引画像が１つの記録画像に対応するものであることを示す表示を付加するとともに、前記検索画像が前記記録画像の一部を抽出して作られた画像である場合には、前記記録画像全体を縮小したものである場合とは異なる表示形態で表示すること。
　
　（ｂ２）そして、補正後各発明は、上記主要構成を備えることにより、「一画像中に複数の画像領域が索引画像となすべき画像領域として指定されている場合に、上記複数の索引画像を表示する際に上記複数の索引画像が一つの記録画像に対応するものであることを示す表示を付加するので、ユーザーが所望する画像を従来よりも正確に判断することができるとともに、検索画像が記録画像の全体を示すのか否かを区別することができる。
　また、表示形態可変手段を設けた場合には、索引縮小画像表示をする際に、通常の記録画像全体の縮小画像を索引画像としている場合とユーザーが指定した画像領域の画像を索引画像としている場合とでその表示を明確に分け、ユーザーの指定に基づく索引画像を目立たせてより検索性の良い画面表示を行うことが可能となる。すなわち、ユーザーが索引画像とすべき画像領域を指定する場合、その指定された画像領域には他の部分よりも重要な情報が含まれていると考えられるため、その指定された画像を目立たさせることは、より情報の中身に沿った表示となる。」（段落【００５３】、【００５４】）等の明細書に記載の顕著な作用効果を奏するものと認められる。
　（ｂ３）以上によれば、補正後各発明は、査定で引用された各刊行物に記載された発明に基づいて当業者が容易に発明をすることができたものであるとすることはできない。
　
　（ｃ）引用刊行物の記載等 
　各刊行物の記載について見ておく。 
　（ｃ１）刊行物１（特開平３−２２０６７１号公報）
　刊行物１には、「画像編集再生装置」（発明の名称）に関し、図面と共に以下に掲げる事項が記載されている。　
　「本発明によれば、記録媒体に記録された複数の画像データに基づく画像をマルチ表示し、マルチ表示された画像の中から所望の画像を検索し再生する画像編集再生装置は、記録媒体から読み出された原画の画像データを記憶する記憶手段と、記憶手段に記憶された画像データに基づく画像を表示する表示手段と、表示手段に表示された画像から画像の特徴部分であるエリア画を指定するエリア画指定手段と、エリア画指定手段により指定されたエリア画の画像データを記憶するエリア画記憶手段と、上記各手段を制御する制御手段とを有し、制御手段は、エリア画記憶手段に記憶されたエリア画の画像データを原画の画像データとともに記録媒体に記録させ、再生時には記録媒体から複数のエリア画の画像データを読み出して表示手段にマルチ表示させ、これにより所望の画像を検索するものである。」（公報２頁右上欄７行〜同頁左下欄４行）
　「操作者がキーボード２６から原画の記号、たとえば原画Ａの指示を入力すると、光ディスク１２から未編集の原画Ａのデータが読み出され、フレームバッファ１６に転送される。フレームバッファ１６に送られた原画Ａのデータによって、モニタには第２Ａ図に示すように原画Ａが表示される。操作者がマウス２４をクリックすると、同図に示すようにマルチ画表示の場合の１つの絵の大きさと同し大きさの枠１０２が現れ、エリア画指定モードに入る。」（公報３頁右上欄４行〜１２行）
　「次に原画Ｂについて同様にして編集を行う。第２Ｂ図に示すように、モニタ２２に原画Ｂを表示し、原画Ｂにおいては、花の部分ｂ１および蝶の部分ｂ２の２つの部分を、操作者が検索用のエリア画として指定する。それぞれの代表画ｂ１、ｂ２がマウス２４の枠１０２により指定されると、Ｐ点、すなわち粋の左上端の部分のアドレスがエリア画ｂ１およびｂ２の原画Ｂに対する先頭アドレスとして、それぞれ指定される。」（公報３頁左下欄１８行〜同頁右下欄６行）
　「操作者はこれらのエリア画を見て原画を選択し、マウス２４を用いて原画を指示する。たとえば、第３Ｂ図に示すように蝶の代表面Ｂ−ｂ２を指示すると、第４Ｃ図に示すように、指定された代表画Ｂ−ｂ２の原画Ｂの先頭アドレスがエリア画領域のエリア画Ｂ−ｂ２のデータのヘッダ情報２０６から読み出され、これにより光ディスクの原画領域から原画Ｂのデータが読み出され、フレームバッファ１６に送られ、第２Ｂ図に示す原画Ｂがモニタ２２に表示される。
　本装置によれば、以上のようにして原画からエリア画を抽出し、抽出されたエリア画をマルチ画面でモニタ２２に表示し、操作者は表示されたエリア画を見て所望の原画を選択する。本実施例によれば、エリア画は各原画を単に縮小したものではなく、各原画を代表する部分、たとえば人物の顔、風景の中心となる花の部分などを表示しているから、これらのエリア画による原画の選択は容易である。しかも、編集情報によってエリア画のタイトルを選択し、タイトルごとに配列して表示するから、該当するタイトルのエリア画のみを見ればよく、すべてのエリア画を見る必要がないため、選択がさらに容易である。
　なお、上記実施例においては、エリア画を元の大きさのままマルチ表示して検索を行っているが、必要に応してエリア画を拡大または縮小して表示してもよい。」（公報４頁左下欄３行〜同頁右下欄９行）
　
　上記記載によれば、刊行物１には、表示手段に表示された画像から画像の特徴部分であるエリア画を指定するエリア画指定手段と、エリア画指定手段により指定されたエリア画の画像データを記憶するエリア画記憶手段とを有し、制御手段は、エリア画記憶手段に記憶されたエリア画の画像データを原画の画像データとともに記録媒体に記録させ、再生時には記録媒体から複数のエリア画の画像データを読み出して表示手段にマルチ表示させ、これにより所望の画像を検索することが記載されており、補正後各発明とは、その前提となる構成は類似しているものの、補正後各発明が備える上記主要構成について記載がなく示唆もない。
　
　（ｃ２）刊行物２（特開平５−１８１９１４号公報）
　刊行物２には、「インデックス作成システム」（発明の名称）に関し、図面と共に以下に掲げる事項が記載されている。　
　「画像情報を入力する手段と、入力された画像情報を記録する手段および画像情報を検索・表示する手段を有し、前記画像情報の記録・検索・表示出力が可能に構成された画像ファイル装置において、前記画像表示手段に表示出力された画像情報の一部を切り取って前記画像情報記録手段に格納し、前記切り取った画像情報を検索時にイメージ情報から成るインデックスとして用いることを特徴とするインデックス作成システム。」（特許請求の範囲）
　
　上記記載によれば、刊行物２には、画像情報の一部を切り取って格納し、前記切り取った画像情報を検索時にイメージ情報から成るインデックスとして用いることは記載されているものの、補正後各発明が備える上記主要構成について記載がなく示唆もない。
　
　（ｃ３）刊行物３（特開平５−２３３７７８号公報）
　刊行物３には、「電子ファイルの検索方法」（発明の名称）に関し、図面と共に以下に掲げる事項が記載されている。
　「文書のページでイメージデータ１がディスプレイ上に表示されている状態で、イメージ部品データ切り取り手段２によりイメージデータ１の一部を切り取り、イメージ部品データ切り取り後のイメージデータ３を得る。イメージ部品データの切り取りは、通常、電子ファイルにおけるイメージ編集と同様の手段を用いる。切り取られたイメージ部品データ４を、イメージ部品データ登録手段５によって、検索条件格納ファイル６に登録する。これで、イメージデータ１に対して、イメージ部品データ４が検索条件として付与されたことになる。」（段落【０００７】）
　「検索条件格納ファイル７に格納されている複数のイメージ部品データを検索条件入力手段８により、ディスプレイ上に表示し、選択画面９となる。選択画面９より、特定のイメージ部品データ１０を選択する。選択のための機器としては、マウスやキーボードが用いられる。選択されたイメージ部品データ１０を条件として検索手段１１により検索を行ない、検索結果であるイメージデータ１２を得る。」（段落【０００９】）
　
　上記記載によれば、刊行物３には、イメージデータの中の一部のイメージをイメージ部品として切り取ってファイルに格納し、イメージデータを検索する際に、前記イメージ部品を用いて検索することは記載されているものの、補正後各発明が備える上記主要構成について記載がなく示唆もない。
　
　（ｃ４）刊行物４（特開平５−６４１３４号公報）
　刊行物４には、「文字入力手段を有するデイジタル記録式電子スチルカメラ」（発明の名称）に関し、図面と共に以下に掲げる事項が記載されている。
　「撮影者は表示された静止画を見て、例えば記録しておきたい文字情報が自然画像用エンコーダ１４での符号化による圧縮の結果、判別できなくなる文字や数字が存在しているとき等はその文字等を明確に判別できるように記録する必要がある。そこでその文字等が撮影されている部分を文字領域としてペン１０で指定することによりその指定した文字領域にその文字等のみを撮影することができる。撮影者が文字領域を指定すると、ＣＰＵ４はスチルカメラモードからイメージスキャナモードに切り換え、撮影者は記録を希望する文字情報をスキャニングして入力することができる。ペン１０で指定された文字領域はその領域の始点を示す先頭アドレスと、縦および横の画素数で特定することができ、この先頭アドレスと縦および横の画素数の情報はＩＣカード１８に記録されている画像のヘッダ領域に記録される。」（段落【０００９】）
　
　上記記載によれば、刊行物４には、文字等が撮影されている部分を文字領域として指定することによりその指定した文字領域にその文字等のみを撮影することができ、文字情報をスキャニングして入力することができ、そして指定された文字領域はその領域の始点を示す先頭アドレスと、縦及び横の画素数の情報を画像のヘッダ領域に記録することは記載されているものの、補正後各発明が備える上記主要構成について記載がなく示唆もない。
　
　（ｃ５）刊行物５（特開平４−３８５６１号公報）
　刊行物５には、「文書ファイリング装置」（発明の名称）に関し、図面と共に以下に掲げる事項が記載されている。
　「第２図は本発明装置の一実施例のブロック図を示す。
　同図中、１０はスキャナであり、文書１１を読取って画像情報を得る。この画像情報は制御部ｌ２に供給され、ここからデイスプレィ１３に表示される。操作者はデイスプレィ１３に表示される第３図に示す如き文書１４を見てマウス１５によりキーワード領域１６の始点１６ａ及び終点１６ｂを指定し、この始点１６ａ及び終点１６ｂの位置情報が制御部１２に供給される。制御部１２は第４図に示す如く、スキャナ１０より文書の画像情報１７に、この画像情報上でのキーワード領域１６の始点及び終点のアドレス１８，１９を付加して光デイスク装置２０に記録する。
　キーボード２１から検索する文書のキーワードか指示されると、制御部１２は光デイスク装置２０から再生した各文書について画像情報上の始点及び終点のアドレス１８，１９で指示される文書の画像情報つまりキーワード領域１６を取出す。」（公報２頁右下欄１５行〜３頁左上欄１５行）
　
　上記記載によれば、刊行物５には、文書を画像情報として読み取り、前記文書の画像情報上でのキーワード領域を指定し、前記文書の画像情報に該キーワード領域の位置情報を付加して記録しておき、文書を検索する際に前記位置情報に基づいてキーワード情報を得て所望の文書を検索することは記載されているものの、補正後各発明が備える上記主要構成について記載がなく示唆もない。
　
　（ｃ６）刊行物６（特開平５−３０４６５３号公報）
　刊行物６には、「画像ファイル装置」（発明の名称）に関し、図面と共に以下に掲げる事項が記載されている。
　「図８に示すように、目次画像は項目（１）乃至（４）に夫々対応した４つの代表画像Ｐ1 乃至Ｐ4 を有している。本実施例においても、各画像は人物、山の風景、海の風景及び町の風景の４つの項目に分類し、各項目の代表画像Ｐ1 乃至Ｐ4 を表示画面11上の左上、右上、左下及び右下に夫々表示している。本実施例においては、代表画像Ｐ1 乃至Ｐ4 の周囲には、夫々背景画像Ｂ1 乃至Ｂ4 を設けてあり、各背景画像Ｂ1 乃至Ｂ4 の色（背景色）は管理データの背景色コードによって設定されている各項目に対応したものになっている。例えば、人物の項目に対して肌色、海の風景の項目に青等のように、各項目を示すものとして認識しやすい背景色を設定している。」（段落【００４３】）
　「図１０はディスプレイ10の表示画面11上に表示される画像データ（３）に基づく画像Ｍ1 及び背景画像Ａ1 を示す説明図である。表示画面11の周辺には目次画像中の背景画像Ｂ1 と同一の背景色で背景画像Ａ1 が表示され、背景画像Ａ1 に囲まれた状態で、人物の項目（１）に分類された画像データ（３）に基づく画像Ｍ1 が表示される。ユーザーは画像Ｍ1 が所望の画像であるか否かを判断する。ユーザーのキー操作によって、所望の画像でないことが示されると、処理はステップＳ9 からステップＳ10を介してステップＳ7 に処理を戻して、次の画像を表示させる。項目（１）の各画像を表示する場合においても、表示画面11の周辺には項目（１）に対応した背景色の背景画像Ａ1 が表示される。これにより、ユーザーは所望の画像と項目に対応した背景色との関係が印象付けられる。以後、ユーザーが所望の画像であることを示すキー操作をするまで、項目（１）に含まれる各画像の表示が順次行われる。
　このように、本実施例においては、所望の画像と項目との関係を代表画像の外に背景色によっても学習することになる。目次画像の各項目の代表画像は項目に対応した背景色の背景画像によって周辺が囲まれており、ユーザーは代表画像と背景画像の色とによって項目を選択することができる。」（段落【００５０】、【００５１】）
　
　上記記載によれば、刊行物６には、各画像は人物、山の風景、海の風景及び町の風景の４つの項目に分類し、背景画像Ｂ1 乃至Ｂ4 の色（背景色）は各項目に対応したものになっており、ユーザーは代表画像と背景画像の色とによって項目を選択することは記載されているものの、上記各項目の背景色は、人物、山の風景、海の風景及び町の風景などの種類に対応して肌色、青等が表示されるものであり、１つの記録画像に対応するものであることを示す表示を付加するものではない。すなわち、補正後各発明が備える上記主要構成について記載がなく示唆もない。
　
　（ｄ）前置審査報告 
　（ｄ１）報告書は、以下のとおり報告をする。
　「引用文献１記載の発明においては、ＴＯＣ領域に記録された編集情報を参照すれば、複数の索引画像が１つの記録画像に対応するものであることを識別できることは明らかである。そして、複数の画像が同じ分類に属する場合、当該画像を表示する際に同じ分類に属することを示す表示を付加することは、周知な事項にすぎないことから（例えば、特開平５−３０４６５３号公報（段落[0050]）を参照。）、引用文献１記載の発明において、複数の索引画像を表示する際に上記複数の索引画像が１つの記録画像に対応するものであることを示す表示を付加することに、格別な技術的困難性はない。
　また、引用文献１記載の発明においては、エリア画は元の大きさのままマルチ表示しており、原画を縮小したものとは異なることから、記録画像の一部を抽出して作られた索引画像を、記録画像全体を縮小したものである場合とは異なる表示形態で表示しているものと認められる。なお、記録画像の一部を抽出して作られた画像のほかに、記録画像全体を縮小したものを索引画像とすることは、周知技術である（例えば、特開昭５９−２１４９５９号公報、特開平１−２８４９７３号公報を参照）。」（以上、報告書）
　
　（ｄ２）しかしながら、引用文献１（刊行物１）記載の発明は、ＴＯＣ領域に記録された編集情報を参照すれば、検索用のエリア画である花の部分ｂ１および蝶の部分ｂ２が原画Ｂに対応することが知り得るとしても、その花の部分ｂ１および蝶の部分ｂ２が原画Ｂに対応するものであることを示す表示を付加する、すなわち、複数の索引画像が１つの記録画像に対応するものであることを示す表示を付加するものではない。
　そして、報告にあった特開平５−３０４６５３号公報（刊行物６）をみると、複数の画像が同じ分類に属する場合、当該画像を表示する際に同じ分類に属することを示す表示を付加することが周知事項である点は、個別には認められる。しかし、上記（ｃ６）でも検討したように、刊行物６は、人物、山の風景、海の風景及び町の風景などの種類に対応して背景色に肌色、青等を表示するものであり、１つの記録画像に対応するものであることを示す表示を付加するものではなく、引用文献１（刊行物１）記載の発明と周知事項（刊行物６）を組み合わせても、上記主要構成を想到することは困難である。
　さらに、記録画像の一部を抽出して作られた画像のほかに、記録画像全体を縮小したものを索引画像とすることが周知技術（特開昭５９−２１４９５９号公報、特開平１−２８４９７３号公報）である点は、個別には認められる。しかし、補正後各発明でいう索引画像が記録画像の一部を抽出して作られた画像である場合には、記録画像全体を縮小したものである場合とは異なる表示形態で表示するとは、明細書の段落【００４４】の記載によれば、撮像画像全体の縮小画像を索引画像とするものと区別するため、表示形態、例えば、枠の色、幅等を変えるようにしてユーザーによる識別性を高めることをいうものと理解できるから、引用文献１（刊行物１）記載の発明と報告にあった周知技術を考慮しても、上記主要構成を想到することは困難である。
　
　（ｅ）その他の理由 
　また、他に、補正後各発明が特許出願の際独立して特許を受けることができないとする理由を発見しない。 
　 
　（ｆ）小括（独立特許要件）  
 　以上、補正後各発明は、特許出願の際独立して特許を受けることができるものである。
　　
（２−４）まとめ（適否）  
　以上、本件補正は、上記各規定に適合する。  
　
３．本願発明
　本願の請求項１から請求項９までに係る発明は、本願明細書及び図面（平成１３年５月２１日付け、平成１６年９月３日付け、及び平成１７年５月３０日付け手続補正書により補正された明細書及び図面）の記載からみて、その特許請求の範囲の請求項１から請求項９までに記載した事項により特定されるとおりのものである（上記補正後各発明と同じ、以下「本願各発明」という。）。
　
４．査定の検討  
　本願各発明は、補正後各発明の独立特許要件についてした上記判断での理由と同じ理由により、査定で引用された各刊行物に記載された発明に基づいて当業者が容易に発明をすることができたものであるとすることはできない。  
　
５．むすび  
　以上のとおりであるから、本願の請求項１から請求項９までに係る発明が上記各刊行物に記載された発明に基づいて当業者が容易に発明をすることができたものであるという原査定の理由によっては本願を拒絶することはできない。  
　また、他に、本願を拒絶すべき理由を発見しない。  
　よって、結論のとおり審決する。